(57)【要約】【課題】  本発明は、光にかざすと、文字や絵柄からなる模様が透かしとして認識することが可能な、クレジットカード、キャッシュカード、ポイントカード、ＩＣカードとして使用できる透かし入りカードを提供することである。【解決手段】  ２枚の白色樹脂層が積層された構成のコアー層を有するカードであって、前記コアー層を構成する２枚の白色樹脂層間に、文字，記号，絵柄等からなる透かしとなる模様が暗色インキにて印刷され、コアー層の一方の外面に磁気層が形成され、少なくとも一方のオーバーシート層に印刷層が形成された構成の透かし入りカードである。【選択図】    図１
2006167955.tif 000002
【特許請求の範囲】
【請求項１】
２枚の白色樹脂層が積層された構成のコアー層を有するカードであって、前記コアー層を構成する２枚の白色樹脂層間に、文字，記号，絵柄等からなる透かしとなる模様が暗色インキにて印刷されている構成からなることを特徴とする透かし入りカード。
【請求項２】
前記コアー層の一方の外面に磁気層が形成されている構成からなることを特徴とする請求項１記載の透かし入りカード。
【請求項３】
前記コアー層の少なくとも一方の外面に印刷層が形成されている構成からなることを特徴とする請求項１または２記載の透かし入りカード。
【発明の詳細な説明】
【技術分野】
【０００１】
本発明は、光にかざすことにより透かし模様を認識することのできる、構成がきわめて簡単であり低価格の優れた偽造防止効果を有する透かし入りカードに関する。
【背景技術】
【０００２】
従来、潜像ないしは透かしを利用して偽造及び改ざんを防止した印刷物としては、被印刷体の表裏いずれか一方に万線、網点等によって各種模様を印刷し、他方には万線、網点等に潜像とすべき図柄を施した画線からなる各種模様を、互いに印刷位置が合うように印刷し、この表裏模様合成印刷物を光で透かして見ると表裏の模様が合成されて潜像が連続階調の画像として出現する潜像を施した表裏模様合成印刷物（例えば、特許文献１参照）や、光透過可能な積層体からなる偽造防止印刷物であって、積層体の層間に、少なくとも一部が相互に重複しない開口部により構成されるパターンを有する２層以上の隠蔽層を積層してなり、パターンの組合わせによるグラデーションを呈する透かし模様を有する偽造防止印刷物（例えば、特許文献２参照）等が知られている。
【特許文献１】特開平５−１３９０２２号
【特許文献２】特開平９−１５６１９９号
【０００３】
しかしながら、上記の潜像を施した表裏模様合成印刷物では、被印刷体の表裏いずれか一方に万線、網点等によって各種模様を印刷し、他方には万線、網点等に潜像とすべき図柄を施した画線からなる各種模様を、互いに印刷位置が合うように印刷することが必要であり、また、上記の偽造防止印刷物では、光透過可能な積層体の層間に少なくとも一部が相互に重複しない開口部により構成されるパターンを有する２層以上の隠蔽層を積層することが必要であり、両者はいずれもその構成が複雑であるため製造工程が煩雑になりコストアップになるという欠点を有している。
【発明の開示】
【発明が解決しようとする課題】
【０００４】
本発明の目的は、光にかざすと、文字，記号，絵柄等からなる模様が透かしとして認識することができるクレジットカード、キャッシュカード、ポイントカード、ＩＣカードとして使用できる優れた偽造防止効果を有する透かし入りカードを提供することである。
【課題を解決するための手段】
【０００５】
２枚の白色樹脂層が積層された構成のコアー層を有するカードであって、前記コアー層を構成する２枚の白色樹脂層間に、文字，記号，絵柄等からなる透かしとなる模様が暗色インキにて印刷されている構成からなる透かし入りカードである。
【０００６】
上記の透かし入りカードにおいて、前記コアー層の少なくとも一方の外面に磁気層が形成されている構成である。
【０００７】
上記の透かし入りカードにおいて、前記コアー層の外面に印刷層が形成されている構成である。
【発明の効果】
【０００８】
本発明の構成とすることにより、通常の状態ではカード表面及び裏面の印刷のみが認識でき、光にかざすことにより、コアー層を構成する２枚の白色樹脂層間に形成された暗色インキで印刷された文字，記号，絵柄等からなる模様が透かしとして認識することができるので、優れた偽造防止効果を有するとともに構成が簡単であるため低コストで製造できる透かし入りカードとすることができる。
【０００９】
請求項２に係る発明では、各種データを記録することのできる磁気層を備えた透かし入りカードとすることができる。
【００１０】
請求項３に係る発明では、カードの少なくとも一方の面に任意の絵柄を施すことができるので意匠性の優れた透かし入りカードとすることができる。
【発明を実施するための最良の形態】
【００１１】
以下、図面に基づいて本発明の実施の形態を説明する。
図１は本発明の第１実施形態の光で透かした状態の平面図、図２は図１のＩ−Ｉ線断面図、図３は第１実施形態のコアー層を構成する一方の白色樹脂層の内面に形成された透かしとなる模様を示す平面図、図４は本発明の第２実施形態の光で透かした状態の平面図、図５は図３のII−II線断面図、図６は第２実施形態のコアー層を構成する一方の白色樹脂層の内面に形成された透かしとなる模様を示す平面図であって、１，1'は透かし入りカード、２，2'は印刷層、３，3'は模様層、４は磁気層、10，10’はコアー層、11，11’は白色樹脂層、12，12’はオーバーシート層、13は接着層をそれぞれ表す。
【００１２】
本発明の第１実施形態の透かし入りカード１は、光で透かした状態の平面図が図１に、積層構成が図２に、白色樹脂層11’の外面に形成された透かしとなる模様層３の平面図が図３にそれぞれ示されているとおりである。光で透かした状態の平面図は、図１に示すように、中央部に透かしとなるＤＮＰの模様層３が透けて見え、上部に磁気層４が形成されている構成となっている。第１実施形態の場合は、ＤＮＰの模様層３が黒く見え周囲の領域が透けて明るく見える透かしとして認識できるものである。
【００１３】
第１実施形態の積層構成は、図２に示すように、白色樹脂層11と外面にＤＮＰの模様層３が印刷により形成された白色樹脂層11’とを接着層13により接着して積層されたコアー層10の一方の面に外面に磁気層４が設けられ内面に印刷層２が形成されたオーバーシート層12が積層されるとともにコアー層10の他方の面に内面に印刷層2'が形成されたオーバーシート層12’が積層された構成となっている。
【００１４】
第１実施形態の白色樹脂層11’の外面に印刷により形成された模様層３の平面図は、図３に示すとおりであって、白色樹脂層11’の外面に黒インキにてＤＮＰの文字からなる模様層３が形成されているものである。
【００１５】
本発明の第２実施形態の透かし入りカード1'は、光で透かした状態の平面図が図４に、積層構成が図５に、白色樹脂層11’の外面に形成された透かしとなる模様層3'の平面図が図６にそれぞれ示されているとおりであり、第１実施形態と比較して、白色樹脂層11’の外面に形成された透かしとなる模様層3'が黒ベタ印刷の抜き文字でＤＮＰの文字が形成され白色樹脂層11’の模様層3'面に白色樹脂層11が接着層13にて積層された構成のコアー層10’とされている点で異なる以外は基本的には第１実施形態と同じ構成である。第２実施形態の場合は、ＤＮＰの模様層３の周囲の領域が黒く見えＤＮＰの模様層３が透けて明るく見える透かしとして認識できるものである。
【００１６】
第１、第２実施形態では、白色樹脂層11’の外面に模様層３を形成した構成とされ、また、表面側のオーバーシート層12に印刷層２が形成され裏面側のオーバーシート層12’に印刷層2'がそれぞれ形成された構成とされているが、白色樹脂層11の内面に模様層３を形成した構成としてもよく、また、表面側のオーバーシート層12又は裏面側のオーバーシート層12’のいずれか一方のみに印刷層を形成した構成としてもよい。更に、第１、第２実施形態では、磁気層４を備えた構成としているが磁気層４を有しないカードとすることもできる。
【００１７】
本発明の透かし入りカード１，1'とすることにより、通常の状態では、カード表面の印刷層２及び裏面の印刷層2'のみが認識できるカードであるが、カードを光にかざすことにより、コアー層を構成する２枚の白色樹脂層11と白色樹脂層11’間に形成されている暗色インキで印刷された文字，記号，絵柄等からなる模様層３，3'が透かしとして認識することができるので、優れた偽造防止効果を付与することが可能となる。また、構成が簡単であるため製造が容易であり低コストの透かし入りカードとすることができる。
【００１８】
実施形態１、２において、透かしとなる模様層３をＤＮＰからなる文字としているが、文字以外に各種の記号や絵柄としてもよい。模様層３を文字とする場合は実施形態のように大きい一組の文字としてもよいが、細かい文字を地紋状に配列させてもよく、模様層３を記号とする場合にも大きい一組の記号としてもよいが、細かい記号を地紋状に配列させてもよい。模様層３を絵柄とする場合には線画としてもよいし、単色の階調のある絵柄ないしは多色のカラー調の階調のある絵柄としてもよい。その場合には、階調のある透かし模様とすることができ、絵柄を多色のカラー調の絵柄とすることによりカラー調の透かしとすることも可能である。また、模様層３を面積の小さいワンポイント模様としその模様に対応する領域のオーバーシート層12，12' に形成する印刷層２，2'を抜くようにしてもよい。
【００１９】
一般的にカードに使用される０．２８ｍｍ厚さの白色樹脂層と透明の０．１ｍｍ厚さのオーバーシート層を使用して０．７６ｍｍ厚さのカードとした場合の模様層が印刷されていない領域での光透過濃度は２．８〜３．５となるが、黒色インキ等の暗色インキからなる模様層が印刷された領域での光透過濃度は３．８〜４．５となるので、透過濃度に差が出ることから光に透かした場合に透かし模様が認識できるものである。透かしとなる模様層を印刷する暗色インキとしては、黒色インキ、黒色に近い色のインキ、銀インキ、金インキ等の不透明で隠蔽性の優れたインキを使用することができる。透かしとなる模様層を形成するインキ層の厚さは厚い方が隠蔽性が大きくなり好ましいのでインキ層を厚く印刷できるシルクスクリーン方式、グラビア方式で印刷するのが好ましい。なお、光透過濃度はＪＩＳ  Ｘ  ６３０５にて測定した値である。測定機器はマクベスＴＤ９０４を使用して測定した。
【００２０】
白色樹脂層の光透過濃度を変えることにより、透かしを見るための光源の強さによって透かしを認識し易くしたり認識し難くしたりすることができる。この場合のファクターとしてはコアー層やオーバーシート層の不透明度、厚さ、オーバーシート層を形成する印刷層の隠蔽性等であり、これらにより、透かしとなる模様層を印刷していない領域における光透過濃度を調節することができる。透かしとなる模様層の光透過濃度は、模様層を印刷するのに使用するインキに添加する顔料の種類や添加量、インキ層の厚さを調節することにより変えることができる。こうして、光透過濃度の差を調製することにより、蛍光灯では透かしが見えないが太陽光やその他の明るい光源下では透かしを認識できるカードとすることがてきる。蛍光灯で透かしとなる模様層を認識し易くするためには、模様層を印刷していない領域における光透過濃度を２．０以下にするのが望ましく、比較的強い光源のみで認識できるようにするためには、模様層が印刷されていない領域における光透過濃度を３．５以上にするのが望ましい。
【００２１】
本発明の透かし入りカードの製造方法は、コアー層を構成する２枚の白色樹脂層のいずれかに黒インキ等の暗色インキを使用してシルクスクリーン方式等により透かしとなる模様層を印刷する工程が新たに必要となる以外は、従来の磁気カード等を製造する方法をそのまま利用して行うことができる。
【００２２】
カードを構成するコアー層、オーバーシート層として使用できる樹脂は、剛性があり強度的に優れた熱可塑性樹脂であれば特に限定されないが、ポリ塩化ビニル、ポリエチレンテレフタレート、ポリブチレンテレフタレート、ＰＥＴ−Ｇ等の共重合ポリエステル樹脂、ＡＢＳ樹脂等が使用できる。オーバーシート層は透明のものが使用され、コアー層は白色に着色したものが使用される。
【図面の簡単な説明】
【００２３】
【図１】本発明の第１実施形態の光に透かした状態の平面図。
【図２】図１のＩ−Ｉ線断面図。
【図３】第１実施形態のコアー層を構成する一方の白色樹脂層の内面に形成された透かしとなる模様を示す平面図。
【図４】本発明の第２実施形態の光に透かした状態の平面図。
【図５】図４のII−II線断面図。
【図６】第２実施形態のコアー層を構成する一方の白色樹脂層の内面に形成された透かしとなる模様を示す平面図。
【符号の説明】
【００２４】
１，1'  透かし入りカード
２，2'  印刷層
３，3'  模様層
４  磁気層                                                                      10，10’  コアー層
11，11’  白色樹脂層
12，12’  オーバーシート層
13  接着層
【図１】
2006167955.tif 000003
【図２】
2006167955.tif 000004
【図３】
2006167955.tif 000005
【図４】
2006167955.tif 000006
【図５】
2006167955.tif 000007
【図６】
2006167955.tif 000008